(57)【要約】【課題】電子ユニットの脱着を防止するフレキシブル平板表示装置を提供する。【解決手段】画像を表示する表示領域１０と、表示領域１０の周縁に沿って互いに平行な第１の辺１２ａおよび第２の辺１２ｂと、第１の辺１２ａおよび第２の辺１２ｂに垂直で、かつ、互いに平行な第３の辺１２ｃおよび第４の辺１２ｄとを有し、第３の辺１２ｃおよび第４の辺１２ｄが曲げられるように備わるフレキシブル表示ユニット１と、フレキシブル表示ユニット１の第１の辺１２ａおよび第２の辺１２ｂのうち、少なくとも一つの辺に配置される電子ユニットとを備え、第３の辺１２ｃおよび第４の辺１２ｄには、いかなる電子ユニットも配置されないフレキシブル平板表示装置が提供される。【選択図】図１
2007108674.tif 000002
【特許請求の範囲】
【請求項１】
画像を表示する表示領域と；
前記表示領域の周縁に沿って互いに平行な第１の辺および第２の辺と、前記第１の辺および第２の辺に垂直で、かつ、互いに平行な第３の辺および第４の辺とを有し、前記第３の辺および第４の辺が曲げられるように備わるフレキシブル表示ユニットと；
前記フレキシブル表示ユニットの第１の辺および第２の辺のうち、少なくとも一つの辺に配置される電子ユニットと；
を備え、
前記第３の辺および第４の辺には、いかなる電子ユニットも配置されないことを特徴とする、フレキシブル平板表示装置。
【請求項２】
前記第１の辺に位置する電子ユニットは、スキャン駆動回路を備えることを特徴とする、請求項１に記載のフレキシブル平板表示装置。
【請求項３】
前記第１の辺に位置する電子ユニットは、前記スキャン駆動回路が備わったスキャン駆動ＩＣを備えることを特徴とする、請求項２に記載のフレキシブル平板表示装置。
【請求項４】
前記第１の辺に位置する電子ユニットは、スキャン駆動回路を備え、前記第１の辺にパターニングされたスキャン駆動部を備えることを特徴とする、請求項２に記載のフレキシブル平板表示装置。
【請求項５】
前記第２の辺に位置する電子ユニットは、データ駆動回路を備えることを特徴とする、請求項１に記載のフレキシブル平板表示装置。
【請求項６】
前記第２の辺に位置する電子ユニットは、データ駆動回路が備わったデータ駆動ＩＣを備えることを特徴とする、請求項５に記載のフレキシブル平板表示装置。
【請求項７】
前記第２の辺に位置する電子ユニットは、データ駆動回路を備え、前記第２の辺にパターニングされたデータ駆動部を備えることを特徴とする、請求項５に記載のフレキシブル平板表示装置。
【請求項８】
前記第１の辺に位置する電子ユニットは、前記第１の辺に接合されたフレキシブル回路基板を備えることを特徴とする、請求項１に記載のフレキシブル平板表示装置。
【請求項９】
前記第２の辺に位置する電子ユニットは、前記第２の辺に接合されたフレキシブル回路基板を備えることを特徴とする、請求項１に記載のフレキシブル平板表示装置。
【請求項１０】
前記第１の辺に位置する電子ユニットは、第１のスキャン駆動回路と第１のデータ駆動回路とを備えることを特徴とする、請求項１に記載のフレキシブル平板表示装置。
【請求項１１】
前記第１の辺に位置する電子ユニットは、前記第１のスキャン駆動回路が備わった第１のスキャン駆動ＩＣを備えることを特徴とする、請求項１０に記載のフレキシブル平板表示装置。
【請求項１２】
前記第１の辺に位置する電子ユニットは、前記第１のスキャン駆動回路を備え、前記第１の辺にパターニングされた第１のスキャン駆動部を備えることを特徴とする、請求項１０に記載のフレキシブル平板表示装置。
【請求項１３】
前記第１の辺に位置する電子ユニットは、前記第１のデータ駆動回路が備わった第１のデータ駆動ＩＣを備えることを特徴とする、請求項１０に記載のフレキシブル平板表示装置。
【請求項１４】
前記第１の辺に位置する電子ユニットは、前記第１のデータ駆動回路を備え、前記第１の辺にパターニングされた第１のデータ駆動部を備えることを特徴とする、請求項１０に記載のフレキシブル平板表示装置。
【請求項１５】
前記第２の辺に位置する電子ユニットは、第２のスキャン駆動回路と第２のデータ駆動回路とを備えることを特徴とする、請求項１に記載のフレキシブル平板表示装置。
【請求項１６】
前記第２の辺に位置する電子ユニットは、前記第２のスキャン駆動回路が備わった第２のスキャン駆動ＩＣを備えることを特徴とする、請求項１５に記載のフレキシブル平板表示装置。
【請求項１７】
前記第２の辺に位置する電子ユニットは、前記第２のスキャン駆動回路を備え、前記第２の辺にパターニングされた第２のスキャン駆動部を備えることを特徴とする、請求項１５に記載のフレキシブル平板表示装置。
【請求項１８】
前記第２の辺に位置する電子ユニットは、前記第２のデータ駆動回路が備わった第２のデータ駆動ＩＣを備えることを特徴とする、請求項１５に記載のフレキシブル平板表示装置。
【請求項１９】
前記第２の辺に位置する電子ユニットは、前記第２のデータ駆動回路を備え、前記第２の辺にパターニングされた第２のデータ駆動部を備えることを特徴とする、請求項１５に記載のフレキシブル平板表示装置。
【請求項２０】
少なくとも一方向に曲げることが可能であり、かつ、画像を表示する表示領域と；
前記表示領域を横切るように配置され、前記表示領域における曲げられる辺の方向に沿って延長される、複数の第１の配線と；
前記表示領域を横切るように配置され、前記表示領域における曲げられない辺の方向に沿って延長される、複数の第２の配線と；
を含み、
前記第１の配線および第２の配線は、前記表示領域の外側で、前記表示領域における曲げられる辺の方向に沿って延長されるように配置されることを特徴とする、フレキシブル平板表示装置。
【請求項２１】
前記第１の配線と第２の配線は、前記表示領域の外側で、互いに反対方向に延長されるように配置されることを特徴とする、請求項２０に記載のフレキシブル平板表示装置。
【請求項２２】
前記第１の配線と第２の配線は、前記表示領域の外側で、互いに同じ方向に延長されるように配置されることを特徴とする、請求項２０に記載のフレキシブル平板表示装置。
【請求項２３】
前記第１の配線と第２の配線との一部は、前記表示領域の外側で、前記表示領域における曲げられる辺の方向のうちの一方向に延長されるように配置され、前記第１の配線と第２の配線との残りの部分は、前記表示領域における曲げられる方向のうちの他方向に延長されるように配置されることを特徴とする、請求項２０に記載のフレキシブル平板表示装置。
【発明の詳細な説明】
【技術分野】
【０００１】
本発明は、フレキシブル平板表示装置に係り、より詳しくは、フレキシブル平板表示装置が曲げられた状況でも、駆動ＩＣ（Integrated  Circuit）やフレキシブル印刷回路基板などの電子ユニットを脱着させないフレキシブル平板表示装置に関する。
【背景技術】
【０００２】
液晶ディスプレイ素子、有機発光ディスプレイ素子、無機発光ディスプレイ素子などから構成される平板表示装置は、平板状に形成できるので、フレキシブルな表示装置として形成できる長所を有する。
【０００３】
これらの平板表示装置は、外部回路装置との連結のためフレキシブル印刷回路基板と接合されるか、あるいは、基板に直接駆動ＩＣを装着する。このようなフレキシブル印刷回路基板や駆動ＩＣは、通常、平板表示装置の周縁に形成されたパッド部に異方性導電接着剤によって接合されるが、長方形平板表示装置の長辺に付着されるか、あるいは、互いに隣接した長辺および短辺に付着されてもよい。
【０００４】
一方、フレキシブル表示装置は、少なくとも一方向に曲げることができ、例えば、円柱などに付着されるように特定方向に曲がった状態で使用される場合がある。
【０００５】
ところで、このように表示装置を押し曲げる場合、曲がる辺に位置したフレキシブル印刷回路基板や駆動ＩＣなどは、曲がるとき発生する応力によって脱着されるおそれが非常に高い。平板表示装置が曲がるとき、フレキシブル印刷回路基板や駆動ＩＣなどが表示装置から脱着されて電気的にオープンとなった場合、表示装置としての機能を果たさなくなる。
【０００６】
【特許文献１】特開２００３−第２８０５４８号公報
【発明の開示】
【発明が解決しようとする課題】
【０００７】
そこで、本発明は、上記問題に鑑みてなされたものであり、本発明の目的とするところは、表示装置が曲がる場合にもフレキシブル印刷回路基板および駆動ＩＣなどが脱着されないフレキシブル平板表示装置を提供するところにある。
【課題を解決するための手段】
【０００８】
上記目的を達成するために、本発明のある観点によれば、画像を表示する表示領域と、前記表示領域の周縁に沿って互いに平行な第１の辺および第２の辺と、前記第１の辺および第２の辺に垂直で、かつ、互いに平行な第３の辺および第４の辺とを有し、前記第３の辺および第４の辺が曲げられるように備わるフレキシブル表示ユニットと、前記フレキシブル表示ユニットの第１の辺および第２の辺のうち、少なくとも一つの辺に配置される電子ユニットとを備え、前記第３および第４の辺には、いかなる電子ユニットも配置されないフレキシブル平板表示装置が提供される。
【０００９】
また、前記第１の辺に位置する電子ユニットは、スキャン駆動回路を備えるとしてもよい。
【００１０】
また、前記第１の辺に位置する電子ユニットは、前記スキャン駆動回路が備わったスキャン駆動ＩＣを備えるとしてもよい。
【００１１】
また、前記第１の辺に位置する電子ユニットは、スキャン駆動回路を備え、前記第１の辺にパターニングされたスキャン駆動部を備えるとしてもよい。
【００１２】
また、前記第２の辺に位置する電子ユニットは、データ駆動回路を備えるとしてもよい。
【００１３】
また、前記第２の辺に位置する電子ユニットは、データ駆動回路が備わったデータ駆動ＩＣを備えるとしてもよい。
【００１４】
前記第２の辺に位置する電子ユニットは、データ駆動回路を備え、前記第２の辺にパターニングされたデータ駆動部を備えるとしてもよい。
【００１５】
また、記第１の辺に位置する電子ユニットは、前記第１の辺に接合されたフレキシブル回路基板を備えるとしてもよい。
【００１６】
また、前記第２の辺に位置する電子ユニットは、前記第２の辺に接合されたフレキシブル回路基板を備えるとしてもよい。
【００１７】
また、前記第１の辺に位置する電子ユニットは、第１のスキャン駆動回路と第１のデータ駆動回路とを備えるとしてもよい。
【００１８】
また、前記第１の辺に位置する電子ユニットは、前記第１のスキャン駆動回路が備わった第１のスキャン駆動ＩＣを備えるとしてもよい。
【００１９】
また、前記第１の辺に位置する電子ユニットは、前記第１のスキャン駆動回路を備え、前記第１の辺にパターニングされた第１のスキャン駆動部を備えるとしてもよい。
【００２０】
また、前記第１の辺に位置する電子ユニットは、前記第１のデータ駆動回路が備わった第１のデータ駆動ＩＣを備えるとしてもよい。
【００２１】
また、前記第１の辺に位置する電子ユニットは、前記第１のデータ駆動回路を備え、前記第１の辺にパターニングされた第１のデータ駆動部を備えるとしてもよい。
【００２２】
また、前記第２の辺に位置する電子ユニットは、第２のスキャン駆動回路と第２のデータ駆動回路とを備えるとしてもよい。
【００２３】
また、前記第２の辺に位置する電子ユニットは、前記第２のスキャン駆動回路が備わった第２のスキャン駆動ＩＣを備えるとしてもよい。
【００２４】
また、前記第２の辺に位置する電子ユニットは、前記第２のスキャン駆動回路を備え、前記第２の辺にパターニングされた第２のスキャン駆動部を備えるとしてもよい。
【００２５】
また、前記第２の辺に位置する電子ユニットは、前記第２のデータ駆動回路が備わった第２のデータ駆動ＩＣを備えるとしてもよい。
【００２６】
また、前記第２の辺に位置する電子ユニットは、前記第２のデータ駆動回路を備え、前記第２の辺にパターニングされた第２のデータ駆動部を備えるとしてもよい。
【００２７】
また、上記目的を達成するために、本発明の別の観点によれば、少なくとも一方向に曲げることが可能であり、かつ、画像を表示する表示領域と、前記表示領域を横切るように配置され、前記表示領域における曲げられる辺の方向に沿って延長される、複数の第１の配線と、前記表示領域を横切るように配置され、前記表示領域における曲げられない辺の方向に沿って延長される、複数の第２の配線とを含み、前記第１の配線および第２の配線は、前記表示領域の外側で、前記表示領域における曲げられる辺の方向に沿って延長されるように配置されるフレキシブル平板表示装置が提供される。
【００２８】
ここで、上記第１の配線と第２の配線とは、スキャン配線とデータ配線とを主に意味するが、上記に限られず、Ｖｄｄ配線などの他の信号配線であっても構わない。
【００２９】
また、前記第１の配線と第２の配線は、前記表示領域の外側で、互いに反対方向に延長されるように配置されるとしてもよい。
【００３０】
また、前記第１の配線と第２の配線は、前記表示領域の外側で、互いに同じ方向に延長されるように配置されるとしてもよい。
【００３１】
また、前記第１の配線と第２の配線との一部は、前記表示領域の外側で、前記表示領域における曲げられる辺の方向のうちの一方向に延長されるように配置され、前記第１の配線と第２の配線との残りの部分は、前記表示領域における曲げられる方向のうちの他方向に延長されるように配置されるとしてもよい。
【発明の効果】
【００３２】
本発明によれば、フレキシブル平板表示装置において、曲げられる辺にフレキシブル印刷回路基板や駆動ＩＣなどの電子ユニットを装着させず、曲げられる辺に垂直な辺、すなわち曲げられない辺に、これらの電子ユニットを装着させることによって、フレキシブル平板表示装置が曲げられて使用される場合にも、電子ユニットがフレキシブル化による応力を受けないようになる。したがって、これら電子ユニットがフレキシブル表示ユニットから脱着するおそれをなくすことができる。
【発明を実施するための最良の形態】
【００３３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３４】
図１は、本発明の第１の実施形態に係るフレキシブル平板表示装置の平面図である。
【００３５】
図１を参照すると、本発明の第１の実施形態に係るフレキシブル平板表示装置は、フレキシブル表示ユニット１と、これに接合される第１の電子ユニット２および第２の電子ユニット３を備える。
【００３６】
フレキシブル表示ユニット１は、図１に示すように、互いに平行な短辺である第１の辺１２ａおよび第２の辺１２ｂと、互いに平行な長辺である第３の辺１２ｃおよび第４の辺１２ｄとからなる、長方形状に形成される。なお、フレキシブル表示ユニット１は、上記に限られず、正方形状に形成してもよいし、平行四辺形状であってもよい。
【００３７】
前記フレキシブル表示ユニット１は、少なくとも一方向に曲げられるようにフレキシブルに備わる。ここで、フレキシブル表示ユニット１は、第１の辺１２ａ〜第４の辺１２ｄを全て曲げることができるフレキシブルな状態に形成されるが、図１では、矢印方向へ曲げられており、長辺である第３の辺１２ｃおよび第４の辺１２ｄが曲げられた状態となる。
【００３８】
また、フレキシブル表示ユニット１のほぼ中央部には、画像が表示される表示領域１０が備わる。表示領域１０は、図２に示すように、ＡＭ（Active  Matrix）有機発光表示装置とすることができる。なお、表示領域１０は、ＡＭ有機発光表示装置に限られず、ＰＭ（Passive  Matrix）有機発光表示装置であってもよい。
【００３９】
図２を参照すると、本発明の第１の実施形態に係るＡＭ有機発光表示装置の各画素は、スイッチングＴＦＴ（Thin  Film  Transistor；以下、「トランジスタ」とする。）Ｍ２と駆動トランジスタＭ１の少なくとも２個のトランジスタと、ストレージキャパシタＣｓｔと、有機発光素子ＯＬＥＤ（Organic  Light  Emitting  Diode）とを備える。
【００４０】
前記スイッチングトランジスタＭ２は、スキャンラインＳｃａｎに印加されるスキャン信号によってＯＮ／ＯＦＦされて、データラインＤａｔａに印加されるデータ信号をストレージキャパシタ（Ｃｓｔ）および駆動トランジスタＭ１に伝達する。駆動トランジスタＭ１は、スイッチングトランジスタＭ２を通じて伝達されるデータ信号に応じて、Ｖｄｄラインから有機電界発光素子ＯＬＥＤに流入される電流量を決定する。ストレージキャパシタＣｓｔは、スイッチングトランジスタＭ２を通じて伝達されるデータ信号を、一フレームの間保持する。
【００４１】
図２において、駆動トランジスタＭ１およびスイッチングトランジスタＭ２は、ＰＭＯＳ（Positive  Metal  Oxide  Semiconductor）トランジスタとして示されているが、上記に限られず、駆動トランジスタＭ１およびスイッチングトランジスタＭ２のうち少なくとも一つをＮＭＯＳ（Negative  Metal  Oxide  Semiconductor）トランジスタで形成できることは言うまでもない。また、図２に示すトランジスタおよびキャパシタの個数は、必ずしもこれに限定されるものではなく、さらに多数のトランジスタおよびキャパシタを備えてもよい。
【００４２】
図３は、図２に示す表示領域１０の断面図である。図３に示すように、基板１０１上に駆動トランジスタＭ１および有機発光素子ＯＬＥＤが備わる。ここで、図３には、スイッチングトランジスタＭ２およびストレージキャパシタＣｓｔは示していないが、駆動トランジスタＭ１と同一工程で形成することができる。
【００４３】
基板１０１は、アクリル、ポリイミド、ポリカーボネート、ポリエステル、マイラー、その他プラスチック材料が使用できる。なお、基板１０１は、上記に限られず、ＳＵＳ（Stainless  Used  Steel）、タングステンのような金属ホイル、または、ガラス材も使用可能である。また、基板１０１は、フレキシブルな基板として使用される。
【００４４】
この基板１０１の上面には、不純物イオンが拡散されることを防止し、水分や外気の浸透を防止して、表面を平坦化するためのバリヤ層、および／または、バッファ層のような絶縁層１０２が形成される。
【００４５】
この絶縁層１０２上に、駆動トランジスタＭ１の活性層１０７が半導体材料によって形成され、これを覆うようにゲート絶縁膜１０３が形成される。活性層１０７は、アモルファスシリコンまたはポリシリコンのような無機材半導体や、有機半導体が使用できる。
【００４６】
ゲート絶縁膜１０３上にはゲート電極１０８が備わり、これを覆うように層間絶縁膜１０４が形成される。そして、層間絶縁膜１０４上には、ソース／ドレイン電極１０９が備わり、これを覆うようにパッシベーション膜１０５および画素定義膜１０６が順次に備わる。
【００４７】
このようなゲート電極１０８、ソース／ドレイン電極１０９は、Ａｌ、Ｍｏ、Ａｕ、Ａｇ、Ｐｔ／Ｐｄ、Ｃｕなどの金属で形成できるが、上記に限れず、これら金属が粉末状に含まれた樹脂ペーストを塗布してもよいし、または、伝導性高分子を使用してもよい。
【００４８】
そして、ゲート絶縁膜１０３、層間絶縁膜１０４、パッシベーション膜１０５および画素定義膜１０６は、絶縁体として備わりうるが、単層または複数層の構造で形成されており、有機物、無機物、または有機／無機複合物で形成されうる。
【００４９】
上述したような駆動トランジスタＭ１の積層構造は、必ずしもこれに限定されるものではなく、多様な構造のトランジスタが全て適用可能である。
【００５０】
パッシベーション膜１０５の上部には、有機発光素子ＯＬＥＤの一つの電極である画素電極１１０が形成され、その上部に画素定義膜１０６が形成される。この画素定義膜１０６に所定の開口部を形成して画素電極１１０を露出させた後、有機発光素子ＯＬＥＤの有機発光膜１１１を形成する。
【００５１】
有機発光素子ＯＬＥＤは、電流の流れによって赤色、緑色、青色の光を発光して所定の画像情報を表示するものであり、駆動トランジスタＭ１のソース／ドレイン電極１０９のうちいずれか一つの電極に連結された画素電極１１０、画素全体を覆うように備わった対向電極１１２、およびこれらの画素電極１１０と対向電極１１２との間に配置されて発光する有機発光膜１１１から構成される。
【００５２】
前記画素電極１１０と対向電極１１２は、有機発光膜１１１によって互いに絶縁されており、有機発光膜１１１に相異なる極性の電圧を加えて有機発光膜１１１で発光が行われる。
【００５３】
有機発光膜１１１は、低分子または高分子有機膜が使用できる。低分子有機膜を使用する場合、有機発光膜１１１は、ホール注入層（Hole  Injection  Layer；ＨＩＬ）、ホール輸送層（Hole  Transport  Layer；ＨＴＬ）、発光層（Emission  Layer；ＥＭＬ）、電子輸送層（Electron  Transport  Layer；ＥＴＬ）、電子注入層（Electron  Injection  Layer；ＥＩＬ）などが単一、あるいは複合の構造に積層されて形成される。また、低分子有機膜を使用する場合、使用可能な有機材料は、銅フタロシアニン（ＣｕＰｃ）、Ｎ、Ｎ´−ジ（ナフタレン−１−イル）−Ｎ、Ｎ´−ジフェニル−ベンジジン（ＮＰＢ）、トリス−８−ヒドロキシキノリンアルミニウム（Ａｌｑ３）などを始めとして多様に適用可能である。これら低分子有機膜は真空蒸着の方法で形成される。
【００５４】
高分子有機膜は、ホール輸送層（ＨＴＬ）および発光層（ＥＭＬ）で形成することができ、ホール輸送層（ＨＴＬ）は、ＰＥＤＯＴ（Poly  Ethylenedioxy  Thiophene）でできており、そして、発光層（ＥＭＬ）は、ＰＰＶ（Poly-Phenylenevinylene）系、または、ポリフルオレン系など高分子有機物質でできている。高分子有機膜は、スクリーン印刷やインクジェット印刷方法などで形成できる。なお、高分子有機膜は、上記に限られず、多様な実施形態が適用できることは言うまでもない。
【００５５】
画素電極１１０は、アノード電極の機能を果たし、対向電極１１２は、カソード電極の機能を果たすが、これらの画素電極１１０と対向電極１１２の極性は反対になっても差し支えない。
【００５６】
背面発光型の場合、画素電極１１０は、透明電極で備わり、対向電極１１２は、反射電極で備わりうる。この時、このような透明電極は、仕事関数が高く、透明なＩＴＯ、ＩＺＯ、Ｉｎ２Ｏ３およびＺｎＯなどを使用して形成でき、また、対向電極１１２の反射電極は、仕事関数が小さいＡｇ、Ｍｇ、Ａｌ、Ｐｔ、Ｐｄ、Ａｕ、Ｎｉ、Ｎｄ、Ｉｒ、Ｃｒ、Ｌｉ、Ｃａおよびこれらの化合物などの金属材で形成することができる。
【００５７】
また、前面発光型の場合、画素電極１１０は、反射電極で備わり、対向電極１１２が透明電極で備わりうる。この時、画素電極１１０としての反射電極は、Ａｇ、Ｍｇ、Ａｌ、Ｐｔ、Ｐｄ、Ａｕ、Ｎｉ、Ｎｄ、Ｉｒ、Ｃｒ、Ｌｉ、Ｃａおよびこれらの化合物などに反射膜を形成した後、その上に仕事関数が大きいＩＴＯ、ＩＺＯ、ＺｎＯまたはＩｎ２Ｏ３などが形成される。また、対向電極１１２になる透明電極は、仕事関数が小さい金属、すなわち、Ａｇ、Ｍｇ、Ａｌ、Ｐｔ、Ｐｄ、Ａｕ、Ｎｉ、Ｎｄ、Ｉｒ、Ｃｒ、Ｌｉ、Ｃａおよびこれらの化合物を蒸着した後、その上にＩＴＯ、ＩＺＯ、ＺｎＯまたはＩｎ２Ｏ３などの透明導電物質で補助電極層やバス電極ラインが形成される。
【００５８】
また、両面発光型の場合、前記画素電極１１０と対向電極１１２何れも透明電極で形成することができる。
【００５９】
なお、画素電極１１０および対向電極１１２は、必ずしも上述した物質で形成されることに限定されず、伝導性物質やＡｇ、Ｍｇ、Ｃｕなど導電粒子が含まれた伝導性ペーストなどで形成してもよい。このような伝導性ペーストを使用する場合、インクジェットプリンティング方法を使用してプリンティングすることができ、プリンティング後には、焼成して電極に形成できる。
【００６０】
このように有機発光素子ＯＬＥＤを形成した後には、その上部を密封して外気から遮断する。
【００６１】
一方、図２に示すスキャンラインＳｃａｎは、図１に示す表示領域１０の外側に延長されてスキャン配線１４に連結され、データラインＤａｔａは表示領域１０の外側に延長されてデータ配線１６に連結される。
【００６２】
スキャン配線１４およびデータ配線１６は、フレキシブル表示ユニット１の曲げられる方向、すなわち曲げられる辺に沿って延長される。すなわち、スキャン配線１４は第３の辺１２ｃおよび第４の辺１２ｄに向かって前記表示領域１０の外に出た後、第３の辺１２ｃおよび第４の辺１２ｄに沿って延長されて第２の辺１２ｂでスキャンパッドを形成する。そして、データ配線１６は、第１の辺１２ａに延長されて第１の辺１２ａでデータパッドを形成する。
【００６３】
第１の辺１２ａに形成されたデータパッドには、第１の電子ユニット２が接続され、第２の辺１２ｂに形成されたスキャンパッドには、第２の電子ユニット３が接続される。第１の電子ユニット２は、データ駆動ＩＣ２１、データ駆動ＩＣ２１が搭載されたフレキシブル印刷回路基板２２、およびこのフレキシブル印刷回路基板２２に連結された印刷回路基板２３を備えることができる。データパッドには、フレキシブル印刷回路基板２２が接合されうる。第２の電子ユニット３は、スキャン駆動ＩＣ３１、スキャン駆動ＩＣ３１が搭載されたフレキシブル印刷回路基板３２、およびフレキシブル印刷回路基板３２に連結された印刷回路基板３３を備える。スキャンパッドには、フレキシブル印刷回路基板３２が接合できる。
【００６４】
図１には、Ｖｄｄ配線を含んだ他の信号配線は示さないが、これらの信号配線も曲げられる方向、すなわち曲げられる辺に沿って延長されて第１の辺１２ａおよび第２の辺１２ｂにパッドを形成する。そして、前記第１の電子ユニット２および第２の電子ユニット３または別途の電子ユニットに接続されて信号および電流を供給する。
【００６５】
このように本発明の第１の実施形態に係る平板表示装置は、図１に示すように、曲げられる辺である第３の辺１２ｃおよび第４の辺１２ｄには、いかなる電子ユニットも接続されていない。したがって、フレキシブル表示ユニット１が曲げられる場合にも、第１の電子ユニット２および第２の電子ユニット３は、フレキシブル化による応力を受けず、これらの電子ユニットがフレキシブル表示ユニット１から脱着されるおそれもなくなる。
【００６６】
図４は、本発明の第２の実施形態に係る平板表示装置である。本発明の第２の実施形態に係る平板表示装置は、本発明の第１の実施形態に係る平板表示装置において起こりうる、スキャン配線１４の長さが長くなってピクセル毎に応答速度の差が生ずるおそれを解消するためのものである。すなわち、表示領域１０のスキャン区域を二つの区域に分けて、一方のスキャン区域は、第１のスキャン配線１４ａに沿って第１の辺１２ａまで延長されて第４の電子ユニット５の第１のスキャン駆動ＩＣ５１に連結され、他方のスキャン区域は、第２のスキャン配線１４ｂに沿って第２の辺１２ｂまで延長されて第６の電子ユニット７の第２のスキャン駆動ＩＣ７１に連結される。
【００６７】
したがって、各スキャン駆動ＩＣから一番遠くに位置したピクセルと一番近く位置したピクセルとの間の距離差を多少縮めることができ、スキャンラインでのＩＲドロップや応答速度の差異を縮めることができる。そして、この場合、データラインも、一部は第１の辺１２ａに延長されて第３の電子ユニット４の第１のデータ駆動ＩＣ４１に連結され、他の一部は、第２の辺１２ｂに延長されて第５の電子ユニット６の第２のデータ駆動ＩＣ６１に連結される。
【００６８】
フレキシブル印刷回路基板４２は、第３の電子ユニット４のフレキシブル印刷回路基板であり、同様に、フレキシブル印刷回路基板５２、６２、７２は、それぞれ第４の電子ユニット５、第５の電子ユニット６、第６の電子ユニット７のフレキシブル印刷回路基板を示す。また、印刷回路基板４３は、第３の電子ユニット４の印刷回路基板であり、同様に、印刷回路基板５３、６３、７３は、それぞれ第４の電子ユニット５、第５の電子ユニット６、第６の電子ユニット７の印刷回路基板を示す。
【００６９】
上記のような電子ユニットは、スキャン駆動ＩＣまたはデータ駆動ＩＣなどを搭載したフレキシブル印刷回路基板、および／または、印刷回路基板に限定されず、基板上に蒸着およびパターニング工程によって形成され、スキャン駆動回路およびデータ駆動回路を備えるスキャン駆動部およびデータ駆動部の場合にも同一に適用できる。
【００７０】
すなわち、図５に示す本発明の第３の実施形態に係る平板表示装置のように、第１の電子ユニット２がデータ駆動回路を備えるデータ駆動部２４に備わり、また、図６に示す本発明の第４の実施形態に係る平板表示装置のように、第２の電子ユニット３が、スキャン駆動回路を備えるスキャン駆動部３４に備わりうる。データ駆動部２４およびスキャン駆動部３４は、複数のＰＭＯＳトランジスタ、ＮＭＯＳトランジスタ、またはＣＭＯＳ（Complementary  Metal  Oxide  Semiconductor）トランジスタを備えることができる。なお、たとえ図面に示されていないとしても、第１の電子ユニットおよび第２の電子ユニットが、何れもそれぞれデータ駆動回路を備えるデータ駆動部、およびスキャン駆動回路を備えるスキャン駆動部に備わることができる。
【００７１】
図７は、本発明の第５の実施形態に係る平板表示装置であり、図４に示した本発明の第２の実施形態に係る平板表示装置と同様の構造で、第３の電子ユニット４がデータ駆動回路を備える第１のデータ駆動部４４を備え、第５の電子ユニット６が、データ駆動回路を備える第２のデータ駆動部６４を備えることができる。なお、たとえ図面に示されていないとしても、第３の電子ユニット〜第６の電子ユニットが、全てそれぞれデータ駆動回路を備えるデータ駆動部およびスキャン駆動回路を備えるスキャン駆動部で備わることができる。
【００７２】
また、図８は、本発明の第６の実施形態に係る平板表示装置であり、図４に示した本発明の第２の実施形態に係る平板表示装置と同様の構造で、第４の電子ユニット５が、スキャン駆動回路を備える第１のスキャン駆動部５４を備え、第６の電子ユニット７が、第２のスキャン駆動部７４を備えることができる。なお、たとえ図面に示されていないとしても、第３の電子ユニット〜第６の電子ユニットが、全てそれぞれデータ駆動回路を備えるデータ駆動部およびスキャン駆動回路を備えるスキャン駆動部で備わることができる。
【００７３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７４】
例えば、スキャン駆動ＩＣ、データ駆動ＩＣなどがフレキシブル印刷回路基板に装着されて連結された構造ではないフレキシブル表示ユニットの第１の辺、および／または、第２の辺１２ｂに電子ユニットが装着される構造にも適用できる。
【００７５】
また、本発明の第１〜第６の実施形態は、ある程度の曲がりが可能な全ての平板表示装置にそのまま適用できる。
【００７６】
以上に示した構成は、当業者が容易に変更し得る程度のことであり、本発明の等価範囲に属するものと理解すべきである。
【産業上の利用可能性】
【００７７】
本発明は、各種電子装置の表示機器として使用できる。
【図面の簡単な説明】
【００７８】
【図１】本発明の第１の実施形態に係る平板表示装置の平面図である。
【図２】本発明の第１の実施形態に係る平板表示装置の表示領域の一形態を示す回路図である。
【図３】図２に示す表示領域の断面図である。
【図４】本発明の第２の実施形態に係る平板表示装置の平面図である。
【図５】本発明の第３の実施形態に係る平板表示装置の平面図である。
【図６】本発明の第４の実施形態に係る平板表示装置の平面図である。
【図７】本発明の第５の実施形態に係る平板表示装置の平面図である。
【図８】本発明の第６の実施形態に係る平板表示装置の平面図である。
【符号の説明】
【００７９】
１      フレキシブル表示ユニット
２      第１の電子ユニット
３      第２の電子ユニット
１０    表示領域
１２ａ  第１の辺
１２ｂ  第２の辺
１２ｃ  第３の辺
１２ｄ  第４の辺
１４、１４ａ、１４ｂ  スキャン配線
１６    データ配線
２１、４１、６１      データ駆動ＩＣ
２２、４２、５２      フレキシブル印刷回路基板
２３、４３、５３      印刷回路基板
３１、５１、７１      スキャン駆動ＩＣ
３２    フレキシブル印刷回路基板
３３    印刷回路基板
【図１】
2007108674.tif 000003
【図２】
2007108674.tif 000004
【図３】
2007108674.tif 000005
【図４】
2007108674.tif 000006
【図５】
2007108674.tif 000007
【図６】
2007108674.tif 000008
【図７】
2007108674.tif 000009
【図８】
2007108674.tif 000010